(57)【要約】【課題】    本発明の目的は、走行車の移動方向を磁力により制御した走行玩具を提供するものである。【解決手段】    走行玩具Ｔは、磁性体１８を有する走行車１と、この走行車１が走行すると共に、水平方向に対して傾斜して設けられた走行面２と、この走行面２の中途に設けられ、分岐する分岐部２１と、走行面の裏面側２Ｂであって、走行車１の走行方向Ａに対して分岐部の手前の部位２１Ａから分岐部を超える部位２１Ｂに設けられた磁石３とを備えているものである。【選択図】図１３
2015024066.tif 000002
【特許請求の範囲】
【請求項１】
磁性体を有する走行車と、
この走行車が走行すると共に、水平方向に対して傾斜して設けられた走行面と、
この走行面の中途に設けられ、分岐する分岐部と、
前記走行面の裏面側であって、前記走行車の走行方向に対して前記分岐部の手前から前記分岐部を超える部位に設けられた磁石とを備えている
ことを特徴とする走行玩具。
【請求項２】
磁性体は、鋼球であり、
走行車は、２対の車軸が取り付けられたシャーシと、前記２対の車軸のそれぞれの先端側に取り付けられた４個の車と、前記シャーシを覆うボディとを備え、
前記２対の車軸は、第１の車軸と第２の車軸であり、
前記第１の車軸と前記第２の車軸との間であって、前記シャーシに前記鋼球が回動自在に支持され、
前記４個の車、前記鋼球の５点で走行面に支持されている
ことを特徴とする請求項１記載の走行玩具。
【請求項３】
磁性体を有する自走式走行車と、
この自走式走行車が走行する走行面と、
この走行面の中途に設けられ、分岐する分岐部と、
前記走行面の裏面側であって、前記走行車の走行方向に対して前記分岐部の手前から前記分岐部を超える部位に設けられた磁石とを備えている
ことを特徴とする走行玩具。
【請求項４】
走行面は、本線から分岐部を介して分岐線に分岐するものであり、
磁石は、移動自在に設けられ、
前記走行面の裏面側であって、走行車の走行方向に対して前記分岐部の手前から前記分岐部を超える部位に設けられた前記磁石を、前記分岐線の裏面側、又は、前記本線の裏面側に移動させる
ことを特徴とする請求項１又は請求項３記載の走行玩具。
【請求項５】
２対の車軸が取り付けられたシャーシと、前記２対の車軸のそれぞれの先端側に取り付けられた４個の車と、前記シャーシを覆うボディとを備え、
前記２対の車軸は、前記ボディの前側に位置する第１の車軸と前記ボディの後側に位置する第２の車軸とを有し、
前記第１の車軸と前記第２の車軸との間であって、前記第２の車軸より前記第１の車軸に近い側に位置して、前記シャーシに鋼球が回動自在に支持され、
前記４個の車、前記鋼球の５点で走行面に支持されている
ことを特徴とする走行玩具。
【発明の詳細な説明】
【技術分野】
【０００１】
本発明は、走行玩具に係り、特に、走行車の移動方向を磁力により制御した走行玩具に関する。
【背景技術】
【０００２】
従来、走行玩具、例えば、軌道走行玩具にあっては、本線から分岐線に切り替える場合、作動ポイントレバーを回動させて切り換えを行っている（例えば、特許文献１参照）。
【先行技術文献】
【特許文献】
【０００３】
【特許文献１】実公平８−１０３４５号公報
【発明の概要】
【発明が解決しようとする課題】
【０００４】
ところが、軌道によらない走行玩具にあっては、上記作動ポイントレバー存在は臨場感を欠くという問題点ある。
【０００５】
本発明は、前記問題点を考慮したなされた走行玩具を提供することを目的とする。
【課題を解決するための手段】
【０００６】
請求項１記載の走行玩具は、磁性体を有する走行車と、この走行車が走行すると共に、水平方向に対して傾斜して設けられた走行面と、この走行面の中途に設けられ、分岐する分岐部と、前記走行面の裏面側であって、前記走行車の走行方向に対して前記分岐部の手前から前記分岐部を超える部位に設けられた磁石とを備えているものである。
【０００７】
また、請求項２記載の走行玩具は、請求項１記載の走行玩具において、磁性体は、鋼球であり、走行車は、２対の車軸が取り付けられたシャーシと、前記２対の車軸のそれぞれの先端側に取り付けられた４個の車と、前記シャーシを覆うボディとを備え、前記２対の車軸は、第１の車軸と第２の車軸であり、前記第１の車軸と前記第２の車軸との間であって、前記シャーシに前記鋼球が回動自在に支持され、前記４個の車、前記鋼球の５点で走行面に支持されているものである。
【０００８】
また、請求項３記載の走行玩具は、磁性体を有する自走式走行車と、この自走式走行車が走行する走行面と、この走行面の中途に設けられ、分岐する分岐部と、前記走行面の裏面側であって、前記走行車の走行方向に対して前記分岐部の手前から前記分岐部を超える部位に設けられた磁石とを備えているものである。
【０００９】
また、請求項４記載の走行玩具は、請求項１又は請求項３記載の走行玩具において、走行面は、本線から分岐部を介して分岐線に分岐するものであり、磁石は、移動自在に設けられ、前記走行面の裏面側であって、走行車の走行方向に対して前記分岐部の手前から前記分岐部を超える部位に設けられた前記磁石を、前記分岐線の裏面側、又は、前記本線の裏面側に移動させるものである。
【００１０】
また、請求項５記載の走行玩具は、２対の車軸が取り付けられたシャーシと、前記２対の車軸のそれぞれの先端側に取り付けられた４個の車と、前記シャーシを覆うボディとを備え、前記２対の車軸は、前記ボディの前側に位置する第１の車軸と前記ボディの後側に位置する第２の車軸とを有し、前記第１の車軸と前記第２の車軸との間であって、前記第２の車軸より前記第１の車軸に近い側に位置して、前記シャーシに鋼球が回動自在に支持され、前記４個の車、前記鋼球の５点で走行面に支持されているものである。
【発明の効果】
【００１１】
請求項１記載の走行玩具によれば、走行面の裏面側であって、走行車の走行方向に対して分岐部の手前の部位から分岐部を超える部位に至る間に設けられた磁石により、磁性体を有する走行車を分岐部の側に引き寄せ、分岐部から分岐した部位へと走行車を導くことができる。
【００１２】
また、請求項２記載の走行玩具によれば、上述した請求項１記載の発明の効果に加え、 走行車は、４個の車、鋼球の５点で走行面に支持され、鋼球が第１の車軸と第２の車軸との間に位置し、鋼球は回転し、鋼球と磁石との吸着部位が変位するため、走行面の裏面側に設けた磁石の磁力により、走行車が走行面に停止するのを防ぎながら、所望の方向（例えば、本線２１Ｘから分岐線２１Ｙ）へと導くことができる。
【００１３】
また、請求項３記載の走行玩具によれば、走行面の裏面側であって、自走式走行車の走行方向に対して分岐部の手前の部位から分岐部を超える部位に至る間に設けられた磁石により、磁性体を有する自走式走行車を分岐部の側に引き寄せ、分岐部から分岐した部位へと自走式走行車を導くことができる。
【００１４】
また、請求項４記載の走行玩具によれば、上述した請求項１又は請求項３記載の発明の効果に加え、走行面の裏面側であって、走行車の走行方向に対して前記分岐部の手前から前記分岐部を超える部位に設けられた前記磁石を、前記分岐線の裏面側、又は、前記本線の裏面側に移動させるため、磁性体を有する走行車を本線の側に引き寄せ、走行車を本線へ導くことができる。
【００１５】
また、請求項５記載の走行玩具によれば、走行玩具は、４個の車、鋼球の５点で走行面に支持され、前記鋼球が第２の車軸よりボディの前側に位置する第１の車軸に近い側に位置しているため、手でボディの長手方向を横断する横方向に走行玩具を押せば、鋼球が回転し走行玩具が横方向に移動した後、前方方向を向くので一種のドリフト走行を得ることができる。
【図面の簡単な説明】
【００１６】
【図１】図１は、本発明の一実施例の走行玩具の使用状態の概略的斜視図である。
【図２】図２は、図１の概略的側面図である。
【図３】図３は、図１の概略的一部平面図である。
【図４】図４は、図３の磁石の位置を示す概略的図である。
【図５】図５は、図４の磁石を移動させた状態の概略的図である。
【図６】図６は、図３の６−６線による概略的断面図である。
【図７】図７は、図６の７−７線による概略的断面図である。
【図８】図８は、図７の磁石が収納される状態を説明するための概略的分解斜視図である。
【図９】図９は、図１の走行玩具に磁性体（例えば、鋼球）を組み込む状態の概略的図である。
【図１０】図１０は、図９の磁性体（例えば、鋼球）を走行玩具に組み込まれた状態の概略的図である。
【図１１】図１１は、図１０の概略的底面図である。
【図１２】図１２は、図１の概略的一部平面図である。
【図１３】図１３は、図１２の磁石を移動させ、走行玩具を分岐線の側へ導く状態を示す概略的図である。
【図１４】図１４は、図１の走行玩具を平面上に載置し、矢印Ｆ方向に作用させ、走行玩具の移動状態を平面的に見た概略的図である。
【図１５】図１５は、図１２、図１３と異なる他の実施例の概略的平面図で、（ａ）は走行車を本線の側に、（ｂ）は走行車を分岐線の側に、それぞれ導いたものを示している。
【図１６】図１６は、図１５（ａ）（ｂ）と異なる他の実施例の概略的平面図で、（ａ）は走行車を本線の側に、（ｂ）は走行車を分岐線の側に、それぞれ導いたものを示している。
【図１７】図１７は、図１６（ａ）（ｂ）と異なる他の実施例の概略的平面図で、（ａ）は走行車を第１の分岐線（２１Ｙ）の側に、（ｂ）は第２の分岐線（２１Ｙ’）の側に、（ｃ）は第３の分岐線（２１Ｙ”）の側に、それぞれ導いたものを示している。
【発明を実施するための形態】
【００１７】
本発明の一実施例の走行玩具を図面（図１乃至図１４）を参照して説明する。
図１、図２に示すＴは走行玩具で、走行玩具Ｔは、概略的に、走行車１と走行面２とから構成されている。
【００１８】
走行車１は、図９乃至図１１に示すように、磁性体（例えば、鋼球）１８を有し、例えば、２対の車軸１１、１２が取り付けられたシャーシ１３と、２対の車軸１１、１２のそれぞれの先端側に取り付けられた４個の車１４、１５、１６、１７と、シャーシ１３を覆うボディ１９とを備えている。２対の車軸１１、１２は、第１の車軸１１と第２の車軸１２で、第１の車軸１１はボディ１９の前側に、第２の車軸１２はボディ１９の後側に、それぞれ位置している。
そして、鋼球１８は、鋼球１８の収納室１３’に押し込まれ、回動自在に支持されるようになっている（図９及び図１０参照）。
つまり、鋼球１８は、第１の車軸１１と第２の車軸１２との間であって、シャーシ１３に回動自在に支持されるようになっている。
従って、走行車１は、４個の車１４、１５、１６、１７、鋼球１８の５点で走行面２に支持されている。
なお、鋼球１８の位置は、望ましくは、第２の車軸１２より第１の車軸１１に近い側に位置している。第１の車軸１１は走行車１の走行方向（図１に示すＡ方向）に対して前側に位置している（図１１参照）。
【００１９】
走行面２は、図２に示すように、例えば、脚部２０により、水平方向に対して傾斜して設けられている。
また、図３に示す２１は、走行面２の中途に設けられ、分岐する分岐部であり、走行面２は、本線２１Ｘから分岐部２１を介して分岐線２１Ｙに分岐するようになっている。
また、図４乃至図８に示す３は磁石で、磁石３は、走行面の裏面側２Ｂであって、走行車１の走行方向（図１に示すＡ方向）に対して分岐部の手前の部位２１Ａから分岐部を超える部位２１Ｂに設けられている（図３乃至図５参照）。
磁石３は、移動自在に設けられている。すなわち、図６乃至図８に示すように、磁石３を収納する磁石収納室３１がスライドできるようにスライド支持部材３２が走行面２の裏面側２Ｂにビス３４で取り付けられている。図７及び図８に示す３３は、磁石３を移動させるための取っ手である。
磁石３の移動は、例えば、走行面の裏面側２Ｂであって、走行車１の走行方向（図１に示すＡ方向）に対して分岐部の手前の部位２１Ａから分岐部を超える部位２１Ｂに設けられた磁石３（図４参照）を、分岐線２１Ｙの裏面側（又は、図示しないが、本線２１Ｘの裏面側）に移動させて行う（図５参照）。
【００２０】
従って、上述した走行玩具Ｔによれば、走行面の裏面側２Ｂであって、走行車１の走行方向（図１に示すＡ方向）に対して分岐部２１の手前の部位２１Ａから分岐部を超える部位２１Ｂに至る間に設けられた磁石３により、磁性体１８を有する走行車１を分岐部２１の側に引き寄せ、分岐部２１から分岐した部位へと走行車１を導くことができる。
すなわち、走行車１は、４個の車１４、１５、１６、１７、鋼球１８の５点で走行面２に支持され、鋼球１８が第１の車軸１１と第２の車軸１２との間に位置し、鋼球１８は回転し、鋼球１８と磁石３との吸着部位が変位するため、走行面の裏面側２Ｂに設けた磁石３の磁力により、走行車１が走行面２に停止するのを防ぎながら、所望の方向（例えば、本線２１Ｘから分岐線２１Ｙ）へと導くことができる。
【００２１】
なお、上述した走行玩具Ｔは、走行車１と走行面２とから構成するようにし、走行面２の両サイドを壁２２、２３で構成したが、本願発明にあっては、これに限らず、走行面２の両サイドを壁２２、２３を設けない、例えば、図１４に示すような平坦面上の走行面２でも良い。
即ち、走行車１を図１４に示すボディの長手方向を横断する横方向（Ｆ方向）に手で押して、手を走行車１から離せば、走行車１に設けた鋼球１８（図９乃至図１１参照）が回転し、走行玩具１が横方向に移動した後、前方方向を向くので一種のドリフト走行を得ることができる。
【００２２】
また、上述した実施例においては、磁石３の位置移動をスライド支持部材３２で行ったが、本願発明にあっては、これに限らず、図１５（ａ）（ｂ）に示すように、磁石３を取り付けた回転体４０の回転位置の移動でも良く、また、図１６（ａ）（ｂ）に示すように、磁石３を取り付けたレバー５０による移動でも良い。
また、上述した実施例においては、本線２１Ｘから分岐線２１Ｙに分岐させるようにしたが、本願発明にあっては、これに限らず、図１７（ａ）（ｂ）（ｃ）に示すように、
分岐する数は、複数（例えば、第１の分岐線２１Ｙ、第２の分岐線２１Ｙ’、第３の分岐線２１Ｙ”）でも良い。
【００２３】
また、上述した走行玩具Ｔに設けた磁石３を走行面の裏面側２Ｂに一体的に設けたが、本願発明にあっては、これに限らず、図示しないが、磁石３を走行面の裏面側２Ｂに一体的に設けず、磁石３を走行面の裏面側２Ｂに、別体的に設けて移動自在に構成しても良い。
【００２４】
また、上述した走行玩具Ｔの走行車１は、重力を利用した従動式としたが、本願発明にあっては、これに限らず、図示しないが、電池、モーターを内蔵した自走式走行車としても良い。
この場合、走行面２は図示しないが、自走式走行車が走行する走行面であれば良く、走行面は、図２記載のような水平方向に対して傾斜して設ける必要がない。
【符号の説明】
【００２５】
Ｔ      走行玩具
１      走行車
２      走行面
２Ｂ    走行面の裏面側
３      磁石
１８    磁性体（鋼球）
２１    分岐部
２１Ａ  分岐部の手前の部位
２１Ｂ  分岐部を超える部位
【図１】
2015024066.tif 000003
【図２】
2015024066.tif 000004
【図３】
2015024066.tif 000005
【図４】
2015024066.tif 000006
【図５】
2015024066.tif 000007
【図６】
2015024066.tif 000008
【図７】
2015024066.tif 000009
【図８】
2015024066.tif 000010
【図９】
2015024066.tif 000011
【図１０】
2015024066.tif 000012
【図１１】
2015024066.tif 000013
【図１２】
2015024066.tif 000014
【図１３】
2015024066.tif 000015
【図１４】
2015024066.tif 000016
【図１５】
2015024066.tif 000017
【図１６】
2015024066.tif 000018
【図１７】
2015024066.tif 000019